(57)【要約】【課題】  必要な情報をリアルタイムで容易に入手することができ、又、閲覧や視聴できる大量のデータを保持することができる紙製品を提供する。【解決手段】  情報が格納された２次元コードが印刷され、上記２次元コードとしてマトリックス方式２次元コードが使用されている。上記マトリックス方式２次元コードには、サイトへのリンク機能が備えられ、マトリックス方式２次元コードの読取機能を有するカメラ付き携帯電話で撮影して読取ることにより任意のサイトにアクセスし、そのサイトが提供する情報を閲覧しうる上記サイトのＵＲＬや、携帯電話で撮影して読取ることにより閲覧できるテキストデータ、画像データ、又は携帯電話で視聴できる音声データが格納されている。【選択図】  図１
2006155355.tif 000002
【特許請求の範囲】
【請求項１】
情報が格納された２次元コードが印刷されていることを特徴とする紙製品。
【請求項２】
上記２次元コードとしてマトリックス方式２次元コードが使用されていることを特徴とする請求項１記載の紙製品。
【請求項３】
上記マトリックス方式２次元コードには、サイトへのリンク機能が備えられ、マトリックス方式２次元コードの読取機能を有するカメラ付き携帯電話で撮影して読取ることにより任意のサイトにアクセスし、そのサイトが提供する情報を閲覧しうる上記サイトのＵＲＬが格納されていることを特徴とする請求項２記載の紙製品。
【請求項４】
上記マトリックス方式２次元コードには、マトリックス方式２次元コードの読取機能を有するカメラ付き携帯電話で撮影して読取ることにより閲覧できるテキストデータが格納されていることを特徴とする請求項２記載の紙製品。
【請求項５】
上記マトリックス方式２次元コードには、マトリックス方式２次元コードの読取機能を有するカメラ付き携帯電話で撮影して読取ることにより視聴できる音声データが格納されていることを特徴とする請求項２記載の紙製品。
【請求項６】
上記マトリックス方式２次元コードには、マトリックス方式２次元コードの読取機能を有するカメラ付き携帯電話で撮影して読取ることにより閲覧できる画像データが格納されていることを特徴とする請求項２記載の紙製品。
【請求項７】
上記マトリックス方式２次元コードには、ビジネス関連情報を提供するサイトのＵＲＬが格納されていることを特徴とする請求項３記載の手帳。
【請求項８】
上記マトリックス方式２次元コードには、生活関連情報を提供するサイトのＵＲＬが格納されていることを特徴とする請求項３記載の手帳。
【請求項９】
上記マトリックス方式２次元コードには、趣味やレジャーの関連情報を提供するサイトのＵＲＬが格納されていることを特徴とする請求項３記載の手帳。
【請求項１０】
上記マトリックス方式２次元コードには、キャラクターやブランドの関連情報を提供するサイトのＵＲＬが格納されていることを特徴とする請求項３記載の手帳。
【請求項１１】
上記手帳は、システム手帳であることを特徴とする請求項１０記載の手帳。
【請求項１２】
上記紙製品は、レターセットであることを特徴とする請求項１〜６記載の紙製品。
【請求項１３】
上記紙製品は、名刺であることを特徴とする請求項１〜６記載の紙製品。
【請求項１４】
上記紙製品は、商品カタログであることを特徴とする請求項１〜６記載の紙製品。
【請求項１５】
上記紙製品は、会社案内用のチラシであることを特徴とする請求項１〜６記載の紙製品。
【請求項１６】
上記紙製品は、グリーティングカードであることを特徴とする請求項１〜６記載の紙製品。
【発明の詳細な説明】
【技術分野】
【０００１】
本発明は紙製品に係り、特に、携帯電話を利用して必要な情報を容易に入手することが可能な紙製品に関する。なお、ここで上記紙製品には、手帳、メモ帳、レターセット、名刺、タグ、カタログ、チラシ等が広く含まれる。
【背景技術】
【０００２】
従来より、必要な情報を記録する場合、筆記具を用いて手帳に書き込む習慣となっている。
【０００３】
現在、現代人の日常生活には、さまざまな情報が必要となるが、これらの情報を、その都度、自分で探して、筆記具を用いて情報を手帳に一々書き込むのは煩雑である。
【０００４】
これに対し、ＰＤＡ（パーソナルデジタルアシスタンツ）といわれる様々な電子情報携帯媒体も存在する。これらの電子情報携帯媒体にあっては、相手方との通話以外は携帯電話と略同様の機能を有し、様々な情報源にアクセスすることができると共に、個人の情報、個人のメモ等を、自ら、キーボード又はハンドライティング方式により、テキスト方式で記録することができるように構成されている。
【０００５】
しかしながら、このようなＰＤＡにあっては、自分個人のデータ又はメモ等を記録する場合には、キーボード等を使用せざるをえず、また、ハンドライティングの際の認識速度等の問題から、必要な場合に迅速にメモをとる点や、文字等の記載の自由性及び迅速性の点では、なお一般の手帳には及ばず、現在、なお、オーガナイザーといわれるシステム手帳や、伝統的な小さな手帳を使用する利用者が多い。
【０００６】
この場合、現代人が必要とする情報量は極めて多いので、それらを記録しても、その中から必要な情報を選択するのが煩雑であった。
【０００７】
また、情報は古くなると使用価値がないことから、一度記録した情報でも不要となってしまう。その結果、一度記録した情報が古くなった場合は、古い情報を消して新しい情報をその都度、記載しなければならないという煩雑がある。
【０００８】
なお、市販されている手帳の中には、例えば、地下鉄路線図や、著名施設の電話番号報などが記載されたページが添付されているものがあるが、これらの個々の情報が変更された場合であっても、更新された情報が記載された新たなページが加除されるように販売されてはいないことから、情報が古くなった場合には使用できこととなる。
【０００９】
また、従来の手帳等の紙製品にあっては、少量の文字又は画像データだけしか印刷することができなかった。従って、データ量を増加する要請や音声データも保持させたいという要請には応えることができなかった。
【００１０】
本出願人は上記不具合を解消しうる紙製品について調査したが、関連する先行技術文献を見出すことはできなかった。
【発明の開示】
【発明が解決しようとする課題】
【００１１】
本発明の課題は、必要な情報をリアルタイムで容易に入手することができ、又、閲覧や視聴できる大量のデータを保持することができる紙製品を提供することにある。
【課題を解決するための手段】
【００１２】
上記課題を解決するために、請求項１記載の本発明に係る紙製品は、情報が格納された２次元コードが印刷されていることを特徴とする。
【００１３】
即ち、請求項１記載の本発明に係る紙製品にあっては、情報が直接表示されているのではなく、情報を格納したコードが格納され、しかも、そのコードとしてバーコードではなく２次元コードが使用されている。
【００１４】
また、請求項２記載の本発明に係る紙製品は、上記２次元コードとしてマトリックス方式２次元コードが使用されていることを特徴とする。
【００１５】
即ち、請求項２記載の本発明に係る紙製品にあっては、縦方向と横方向ににそれぞれ情報が格納されて、情報量が１次元コードに比べ格段に多いマトリックス方式２次元コードが採用されている。
【００１６】
また、請求項３記載の本発明に係る紙製品は、上記マトリックス方式２次元コードには、サイトへのリンク機能が備えられ、マトリックス方式２次元コードの読取機能を有するカメラ付き携帯電話で撮影して読取ることにより任意のサイトにアクセスし、そのサイトが提供する情報を閲覧しうる上記サイトのＵＲＬが格納されていることを特徴とする。
【００１７】
即ち、請求項３記載の本発明に係る紙製品にあっては、上記マトリックス方式２次元コードを読み取る装置として、多くの人が所持しているカメラ付き携帯電話を使用可能としている。
そして、上記マトリックス方式２次元コードには、情報そのものではなく、情報を提供するサイトのＵＲＬが格納されることから、そのサイトにアクセスして多量の情報を入手することができる。
即ち、上記マトリックス方式２次元コードはサイトへのリンク機能を有している。
【００１８】
また、請求項４記載の本発明に係る紙製品は、上記マトリックス方式２次元コードには、マトリックス方式２次元コードの読取機能を有するカメラ付き携帯電話で撮影して読取ることにより閲覧できるテキストデータが格納されていることを特徴とする。
【００１９】
即ち、請求項４記載の本発明に係る紙製品にあっては、上記マトリックス方式２次元コードには、携帯電話により直接に閲覧できる多量のテキストデータが格納されている。
【００２０】
また、請求項５記載の本発明に係る紙製品は、上記マトリックス方式２次元コードには、マトリックス方式２次元コードの読取機能を有するカメラ付き携帯電話で撮影して読取ることにより視聴できる音声データが格納されていることを特徴とする。
【００２１】
即ち、請求項５記載の本発明に係る紙製品にあっては、上記マトリックス方式２次元コードには、携帯電話により直に聴取できる多量の各種音声データが格納されている。
【００２２】
また、請求項６記載の本発明に係る紙製品は、上記マトリックス方式２次元コードには、マトリックス方式２次元コードの読取機能を有するカメラ付き携帯電話で撮影して読取ることにより閲覧できる画像データが格納されていることを特徴とする。
【００２３】
即ち、請求項６記載の本発明に係る紙製品にあっては、上記マトリックス方式２次元コードには、携帯電話により直に閲覧できる多量の画像データが格納されている。
【００２４】
また、請求項７記載の本発明に係る紙製品は、上記マトリックス方式２次元コードには、ビジネス関連情報を提供するサイトのＵＲＬが格納されていることを特徴とする。
【００２５】
即ち、請求項７記載の本発明に係る紙製品にあっては、ビジネスユースを想定して、様々な情報の中から、特にビジネス関連情報を提供するサイトにアクセスしうるように構成されている。
【００２６】
また、請求項８記載の本発明に係る紙製品は、上記マトリックス方式２次元コードには、生活関連情報を提供するサイトのＵＲＬが格納されていることを特徴とする。
【００２７】
即ち、請求項８記載の本発明に係る紙製品にあっては、生活関連情報を提供するサイトにアクセスして生活関連情報を取得することにより、生活の利便性を向上させうるように構成されている。
【００２８】
また、請求項９記載の本発明に係る紙製品は、上記マトリックス方式２次元コードには、趣味やレジャーの関連情報を提供するサイトのＵＲＬが格納されていることを特徴とする。
【００２９】
即ち、請求項９記載の本発明に係る紙製品にあっては、生活を楽しく豊かにするために、趣味やレジャーの関連情報を提供するサイトにアクセスしうるように構成されている。
【００３０】
また、請求項１０記載の本発明に係る紙製品は、上記マトリックス方式２次元コードには、キャラクターやブランドの関連情報を提供するサイトのＵＲＬが格納されていることを特徴とする。
【００３１】
即ち、請求項１０記載の本発明に係る紙製品にあっては、関心が高いキャラクターやブランドの関連情報を容易に入手しうるように構成されている。
また、請求項１１〜１６にあっては、本発明に係る紙製品の具体的な適用の具体例を記載しており、請求項１１記載の発明にあっては、上記紙製品は、システム手帳であることを特徴とし、請求項１２記載の発明にあっては、上記紙製品は、レターセットであることを特徴とし、請求項１３記載の発明にあっては、上記紙製品は、名刺であることを特徴とし、請求項１４記載の発明にあっては、上記紙製品は、商品カタログであることを特徴とし、請求項１５記載の発明にあっては、上記紙製品は、会社案内用のチラシであることを特徴とし、請求項１６記載の発明にあっては、上記紙製品は、グリーティングカードであることを特徴とする。
【発明の効果】
【００３２】
請求項１記載の本発明に係る紙製品は、情報が格納された２次元コードが印刷されていることから、その２次元コードを読取装置により読み取ることにより多量の情報を容易に入手することができる。
また、上記２次元コードは印刷により手帳に容易に掲載できることから、製造コストを嵩ませることがない。
【００３３】
請求項２記載の本発明に係る紙製品は、上記２次元コードとしてマトリックス方式２次元コードが使用されていることから、迅速に多量の情報を容易に入手できるという利便性がある。
【００３４】
請求項３記載の本発明に係る紙製品は、上記マトリックス方式２次元コードには、リンク機能が備えられ、マトリックス方式２次元コードの読取機能を有するカメラ付き携帯電話で撮影して読取ることにより任意のサイトにアクセスして、そのサイトが提供する情報を閲覧しうる上記サイトのＵＲＬが格納されていることから、上記カメラ付き携帯電話さえ所持していれば容易に多量の情報を入手することができる。
また、カメラ付き携帯電話の画面に格納される上記ＵＲＬを選択する操作だけをすればよく、上記ＵＲＬを入力する煩雑さがないので、操作が容易で使い勝手が良好である。
また、上記サイトでは情報を更新して最新の情報を提供しているので、古く使い物にならない情報を入手してしまうという無駄がない。
また、手帳に多量の情報を直接印刷する場合は手帳のページ数を増やす必要があるが、本発明に係る紙製品の場合は、マトリックス方式２次元コードだけを印刷すればよく、占有スペースが少なくてすむので、表紙等に印刷することができ、ページ数を増やす必要がない。
【００３５】
請求項４記載の本発明に係る紙製品は、上記マトリックス方式２次元コードには、マトリックス方式２次元コードの読取機能を有するカメラ付き携帯電話で撮影して読取ることにより閲覧できるテキストデータが格納されていることから、小さなスペースに収納された多量のテキストデータを、普通の印刷物を読むように、手軽に閲覧することができる。
【００３６】
請求項５記載の本発明に係る紙製品は、上記マトリックス方式２次元コードには、マトリックス方式２次元コードの読取機能を有するカメラ付き携帯電話で撮影して読取ることにより視聴できる音声データが格納されていることから、その音声データを視聴した人はテキストデータよりも印象度が高くなって、記憶に残りやすい。
【００３７】
請求項６記載の本発明に係る紙製品は、上記マトリックス方式２次元コードには、マトリックス方式２次元コードの読取機能を有するカメラ付き携帯電話で撮影して読取ることにより閲覧できる画像データが格納されていることから、テキストデータと一緒に閲覧することによりそのデータの内容を理解しやすくなる。
【００３８】
請求項７記載の本発明に係る紙製品は、上記マトリックス方式２次元コードには、ビジネス関連情報を提供するサイトのＵＲＬが格納されていることから、そのサイトにアクセスすることにより、例えば、電車の乗り換え情報や、著名会社の電話番号や、株価情報等の、ビジネスに必要な最新の情報をリアルタイムで容易に入手することができるので、ビジネスに極めて有用である。
【００３９】
請求項８記載の本発明に係る紙製品は、上記マトリックス方式２次元コードには、生活関連情報を提供するサイトのＵＲＬが格納されていることから、そのサイトにアクセスすることにより、例えば、天気予報や、交通情報や、災害情報等を簡便かつ手軽に入手できるので、生活上の利便性が向上する。
【００４０】
請求項９記載の本発明に係る紙製品は、上記マトリックス方式２次元コードには、趣味やレジャーの関連情報を提供するサイトのＵＲＬが格納されていることから、そのサイトにアクセスすることにより、例えば、ショッピング情報、コンサート情報、スポーツ情報、釣り情報、行楽地情報等を容易に入手することができ、生活を楽しくすることができる。
【００４１】
請求項１０記載の本発明に係る紙製品は、上記マトリックス方式２次元コードには、キャラクターやブランドの関連情報を提供するサイトのＵＲＬが格納されていることから、そのサイトにアクセスすることにより、キャラクターに関する情報や、ブランドから新しく販売される新商品等の情報を容易に入手できるので、そのキャラクターのファンや、ブランド愛好者の楽しみを倍増させることができる。
【００４２】
請求項１１記載の発明にかかる紙製品にあっては、２次元コードを有するシステム手帳が提供されることから、特に、ビジネスマンにとってはビジネスに必要となる様々な情報を２次元コードから携帯電話を通じて入手することができ、即時に、ビジネスに必要な場面に生かすことができる。
【００４３】
システム手帳としてスケジュール管理、メモ等の機能に加えて、情報携帯端末類似の機能を付加することができることから、携帯電話との連携の中で、オーガナイザーとしてのシステム手帳の新たな可能性を提案することができ、製造コストを嵩ませることなく商品価値を増大することができる。
【００４４】
請求項１２記載の発明にあっては、２次元コードを有するレターセットが提供されることから、使用者は、例えば、所望の郵便番号、料金の確認、手紙文の文例集等の情報を２次元コードから即時、かつ容易に入手することができるため、レターセットの新たな商品価値を付加することができ、製造コストを嵩ませることなく、レターセットとしての商品価値を増大することができる。
【００４５】
請求項１３記載の発明にあっては、２次元コードを有する名刺が提供されることから、この名刺をもらった側の人間は、携帯電話を利用して、社名、氏名、肩書、住所等のテキストデータの情報を携帯電話のメモリに記憶させうる。従って、付加価値の高い名刺を製造コストを嵩ませることなく提供することができる。
【００４６】
請求項１４記載の発明にあっては、２次元コードを有するカタログが提供されることから、２次元コードに格納されている、掲載されている商品の紹介文等のテキストデータ、商品の紹介画像等の画像データ及び紹介音声等の情報を携帯電話を利用して取得することができ、付加価値の高いカタログを提供することができる。また、会社の名称、住所、商品リスト、メールアドレス、ホームページアドレス等の情報を携帯電話を利用して容易に入手することができる。
従って、付加価値の高いカタログを製造コストを嵩ませることなく提供することができる。
【００４７】
請求項１５記載の発明にあっては、２次元コードを有する会社案内用のチラシが提供される。従って、このようなチラシをもらった人間は、携帯電話で２次元コードに格納されたテキストデータを読み取ることにより、会社の所在地、営業所地図、販売店地図及びイベント会場地図等の情報を容易に入手することができる。
請求項１６記載の発明にあっては、２次元コードを有するグリーティングカードが提供されることから、本発明に係るグリーティングカードをもらった人間は、２次元コードに格納された音声データを携帯電話を利用して聴取することができる。
従って、付加価値の高いグリーティングカードを製造コストを嵩ませることなく提供することができる。
【発明を実施するための最良の形態】
【００４８】
以下、図面を用いて本発明の実施の形態について説明する。
本実施の形態に係る紙製品１１には、図１に示すように、情報が格納された２次元コードが１４印刷されている。
【００４９】
そして、図１〜図１２に示すように、上記２次元コード１４としてマトリックス方式２次元コード１５が使用されている。
また、上記マトリックス方式２次元コード１５には、リンク機能を有し、マトリックス方式２次元コードの読取機能を有するカメラ付き携帯電話で撮影して読取ることにより任意のサイトにアクセスして、そのサイトが提供する情報を閲覧しうる上記サイトのＵＲＬが格納されている。
【００５０】
また、上記マトリックス方式２次元コード１５には、マトリックス方式２次元コード１５の読取機能を有するカメラ付き携帯電話で撮影して読取ることにより閲覧できるテキストデータが格納されている。
また、上記マトリックス方式２次元コード１５には、マトリックス方式２次元コード１５の読取機能を有するカメラ付き携帯電話で撮影して読取ることにより視聴できる音声データが格納されている。
【００５１】
また、上記マトリックス方式２次元コード１５には、マトリックス方式２次元コード１５の読取機能を有するカメラ付き携帯電話で撮影して読取ることにより閲覧できる画像データが格納されている。
また、上記サイトのＵＲＬが格納されている上記マトリックス方式２次元コード１５には、ビジネス関連情報を提供するサイトのＵＲＬが格納されている。
【００５２】
また、上記サイトのＵＲＬが格納されている上記マトリックス方式２次元コード１５には、生活関連情報を提供するサイトのＵＲＬが格納されている。
同じく、上記サイトのＵＲＬが格納されている上記マトリックス方式２次元コード１５には、趣味やレジャーの関連情報を提供するサイトのＵＲＬが格納されている。
また、上記サイトのＵＲＬが格納されている上記マトリックス方式２次元コード１５には、キャラクターやブランドの関連情報を提供するサイトのＵＲＬが格納されている。
【第一実施例】
【００５３】
図１は、実施例１に係る紙製品１１としてのメモ帳１２を示したものである。
このメモ帳１２には、その表紙１３の外面に、情報が格納された２次元コード１４が印刷されている。
【００５４】
なお、上記２次元コード１４には種々存在するが、本実施例では、マトリックス方式２次元コード１５が使用されている。
【００５５】
また、上記マトリックス方式２次元コード１５も各種提案されているが、本実施例では、「ＱＲコード」（株式会社デンソーウェーブの登録商標）を採用している。
【００５６】
上記マトリックス方式２次元コード１５そのものは公知であり、方形の領域内に、セル４０と呼ばれる黒と白の方形が所定の規格により配列されてデータが表示されると共に、切り出しシンボル４１が隅の３箇所に表示されて構成されている。
【００５７】
上記マトリックス方式２次元コード１５のデータは、マトリックス方式２次元コード１５に対応して形成されたカメラ付き携帯電話で撮影して読取ることができるように構成されている。
【００５８】
上記マトリックス方式２次元コード１５は、印刷により上記表紙１３に印刷されている。
上記マトリックス方式２次元コード１５は、サイトへのリンク機能を有し、そのデータには、アクセスしうるサイトのＵＲＬが格納されている。    
即ち、カメラ付き携帯電話で上記マトリックス方式２次元コード１５を撮影すると、上記ＵＲＬが画面に表示され、そのＵＲＬを選択すると上記サイトにアクセスすることができ、そのサイトが提供する情報が記載されたページを閲覧しうるように構成されている。
【００５９】
上記マトリックス方式２次元コード１５には、ビジネス関連情報を提供するサイトのＵＲＬ、生活関連情報を提供するサイトのＵＲＬ、趣味やレジャーの関連情報を提供するサイトのＵＲＬ、キャラクターやブランドの関連情報を提供するサイトのＵＲＬ等の中の一つ、若しくは適宜に組み合わされた複数が格納されている。
【００６０】
上記ビジネス関連情報を提供するサイトには、例えば、電車の乗り換え案内、終電案内、事故等の交通情報を提供するサイト、電話番号を提供するサイト、株価情報を知らせてくれるサイト、天気予報のサイト、グルメ情報を提供するサイト、タクシーの呼び出しサイト、飛行機の予約サイト、災害情報を提供するサイト、新聞社のサイト、郵便局のサイト、運送会社のサイト、各行政機関のサイト等が含まれている。
その他、例えば、「グーグル」のような検索サイト、「ヤフー」のようなポータルサイト等も含まれている。
【００６１】
上記生活関連情報を提供するサイトには、例えば、ショッピング情報や、テレビ番組表を公開するサイト、地図検索サイト、クーポンマガジンのページを公開するサイト等が含まれているが、その他、天気予報のサイト、交通情報や、災害情報等を提供するサイト等の上記ビジネス関連情報を提供するサイトに含まれている多くのサイトも重複して含まれている。
【００６２】
また、上記趣味やレジャーの関連情報を提供するサイトとしては、例えば、コンサート情報、スポーツ情報、釣り情報、行楽地情報等を提供するサイトが含まれている。
【００６３】
上記キャラクターやブランドの関連情報を提供するサイトには、そのキャラクターやブランドの版権を有するオフィシャルサイトが含まれている。
【第二実施例】
【００６４】
図２は、実施例２に係る紙製品１１としての手帳の付録冊子１６を示したものである。
【００６５】
上記手帳の付録冊子１６にも、情報が格納された２次元コード１４が印刷され、その２次元コード１４として、マトリックス方式２次元コード１５が使用されている。
【００６６】
さらに、上記マトリックス方式２次元コード１５として上記のＱＲコードが使用されている。上記マトリックス方式２次元コード１６には、ビジネス関連情報を提供するサイト、生活関連情報を提供するサイト、趣味やレジャーの関連情報を提供するサイト、上記キャラクターやブランドの関連情報を提供するサイト等のＵＲＬが格納されている。
また、年齢早見表、年号換算表、度量衡変換表、手紙文例集などのテキストデータも格納されている。
【００６７】
なお、本実施例では上記手帳の付録１６に上記マトリックス方式２次元コード１５が印刷されているが、手帳本体における複数の頁や、手帳本体の表紙に上記マトリックス方式２次元コード１５を印刷することも可能である。
【第三実施例】
【００６８】
図３は、実施例３に係る紙製品１１としての手帳１７を示したものである。
この手帳１７には、アンケートハガキ１８が添付されており、そのアンケートハガキ１８に上記マトリックス方式２次元コード１５が印刷されている。
【００６９】
上記マトリックス方式２次元コード１５には、アンケート専用サイトにアクセスしうるＵＲＬが格納されており、そのサイトにアクセスすることによりアンケートが集計されるように構成されている。
また、メールアドレスを登録させることにより、新製品情報を発信できるように構成されている。
【第四実施例】
【００７０】
図４は、実施例４に係る紙製品１１としてのシステム手帳１９を示したものである。
上記システム手帳１９には綴じ込み可能なリフィール２０が備えられ、そのリフィール２０に上記マトリックス方式２次元コード１５が印刷されている。上記マトリックス方式２次元コード１５には、ビジネス関連情報を提供するサイトのＵＲＬが格納されている。
【第五実施例】
【００７１】
図５は、実施例５に係る紙製品１１としてのレターセット２１を示したものである。      
上記レターセット２１には封筒２２が含まれ、その封筒２２に上記マトリックス方式２次元コード１５が印刷されている。
【００７２】
上記マトリックス方式２次元コード１５には、郵便番号及び料金を示すテキストデータが格納されている。また、上記レターセット２１のパッケージ２３にも、上記マトリックス方式２次元コード１５が印刷されており、そのマトリックス方式２次元コード１５には、郵便番号及び料金の検索サイトのＵＲＬと共に、文例集のテキストデータと、材質表示テキストデータが格納されている。
【第六実施例】
【００７３】
図６は、実施例５に係る紙製品１１としての名刺２４を示したものである。
上記名刺２４にも、上記マトリックス方式２次元コード１５が印刷されている。上記マトリックス方式２次元コード１５には、社名、住所、電話番号，ｅ−ｍａｉｌアドレス等のテキストデータが格納されており、相手の携帯電話に簡単に入力しうるように構成されている。
【第七実施例】
【００７４】
図７は、実施例７に係る紙製品１１としてのカタログ２５を示したものである。      
上記カタログ２５にも、上記マトリックス方式２次元コード１５が印刷されている。
【００７５】
上記マトリックス方式２次元コード１５には、営業所、住所、電話番号、新製品情報等等のテキストデータ及び画像データが格納されており、相手の携帯電話に簡単に入力しうるように構成されている。また、商品に関する音声データが格納されている場合には、携帯電話を利用して商品に関する音声による紹介を聴取することもできる。
【第八実施例】
【００７６】
図８は、実施例８に係る紙製品１１としての会社案内用チラシ２６を示したものである。  
上記チラシ２６には、会社までの地図２７が印刷されると共に、上記マトリックス方式２次元コード１５が印刷され、上記マトリックス方式２次元コード１５をＧＰＳ付き携帯電話で読み取ると、目的地まで案内されるように構成されている。
また、会社の名称、住所のテキストデータ、及び営業所地図、販売店の地図の画像データ等が携帯電話を利用して容易に入手することができる。
【第九実施例】
【００７７】
図９は、実施例９に係る紙製品１１としてのグリーティングカード２８を示したものである。  
【００７８】
上記グリーティングカード２８にも上記マトリックス方式２次元コード１５が印刷され、上記マトリックス方式２次元コード１５には、例えば「あけまして  おめでとう」というような音声データが格納され、携帯電話で上記マトリックス方式２次元コード１５を読み取ると、上記音声を視聴できるように構成されている。
【第十実施例】
【００７９】
図１０は、実施例１０に係る紙製品１１としてのポチ袋２９を示したものである。
【００８０】
上記ポチ袋２９にも上記マトリックス方式２次元コード１５が印刷され、上記マトリックス方式２次元コード１５には、例えば「お年玉は大切に使いましょう」「今年の運勢は大吉」というような音声データが格納され、携帯電話で上記マトリックス方式２次元コード１５を読み取ると、上記音声を視聴できるように構成されている。
【第十一実施例】
【００８１】
図１１は、実施例１１に係る紙製品１１としてのタグ３０を示したものである。
【００８２】
上記タグ３０はペンケース３１に取り付けられており、上記タグ３０にも上記マトリックス方式２次元コード１５が印刷されている。
【００８３】
上記タグ３０の上記マトリックス方式２次元コード１５には、材質表示に書き切れない詳細な情報や、お客様相談室や、電話番号等のテキストデータが格納され、携帯電話で上記マトリックス方式２次元コード１５を読み取ると、上記データを閲覧できるように構成されている。
【第十二実施例】
【００８４】
図１２は、実施例１２に係る紙製品１１としての手帳３２を示したものである。
【００８５】
上記手帳３２には、キャラクターの画像３３が表示されると共に、上記マトリックス方式２次元コード１５が印刷されている。
【００８６】
上記マトリックス方式２次元コード１５を携帯電話で読み取ると、上記キャラクターの画像３３を携帯電話の待ち受け画面に取り込めるように構成されている。
【００８７】
上記実施例の作用について説明する。
上記実施例に係る紙製品１１は、情報が格納された２次元コード１４が印刷されていることから、その２次元コード１４を読取機械により読み取ることにより多量の情報を容易に入手することができると共に、上記２次元コード１４は印刷により手帳に容易に格納できることから、製造コストが嵩む事態を回避することができる。
また、上記実施例に係る紙製品１１は、上記２次元コード１４としてマトリックス方式２次元コード１５が使用されていることから、迅速に多量の情報を容易に入手できるという利便性がある。
【００８８】
また、上記マトリックス方式２次元コード１５には、その読取機能を有するカメラ付き携帯電話で撮影して読取ることにより任意のサイトにアクセスして、そのサイトが提供する情報を閲覧しうる上記サイトのＵＲＬが格納されていることから、上記カメラ付き携帯電話さえ所持していれば容易に多量の情報を入手することができる。
【００８９】
また、カメラ付き携帯電話の画面に格納される上記ＵＲＬを選択する操作だけをすればよく、上記ＵＲＬを入力する煩雑さがないので、操作が容易で使い勝手が良好である。
また、上記サイトでは情報を更新して最新の情報を提供しているので、古くなり利用不可能な情報を入手してしまうという事態を回避することができる。
また、手帳に多量の情報を直接印刷する場合は手帳のページ数を増やす必要があるが、本発明に係る手帳の場合は、マトリックス方式２次元コード１５だけを印刷すればよく、占有スペースが少なくてすむので、表紙等に印刷することができ、手帳のページ数を増やす必要がない。
【００９０】
また、２次元コードは印刷するのみで様々な紙製品に配設固定することができることから、製造コストを嵩ませることなく付加価値の高い紙製品を提供することができる。上記マトリックス方式２次元コード１５は、コードの一部に汚れや破損があっても、データの復元ができる。
【００９１】
また、上記紙製品１１における上記マトリックス方式２次元コード１５に、例えば、電車の乗り換え情報や、電話番号や、株価情報等のビジネス関連情報を提供するサイトのＵＲＬが格納されることにより、ビジネスに必要な最新の情報をリアルタイムで容易に入手することができ、ビジネスに極めて有用である。
【００９２】
また、上記紙製品１１における上記マトリックス方式２次元コード１５に、生活関連情報を提供するサイトのＵＲＬが格納されることにより、そのサイトにアクセスすることにより、例えば、天気予報や、交通情報や、災害情報等を簡便かつ手軽に入手できるので、生活上の利便性が向上する。
【００９３】
また、上記紙製品１１における上記マトリックス方式２次元コード１５に、趣味やレジャーの関連情報を提供するサイトのＵＲＬが格納されることにより、そのサイトにアクセスすることにより、例えば、ショッピング情報、コンサート情報、スポーツ情報、釣り情報、行楽地情報等を容易に入手することができ、生活を楽しくすることができる。
【００９４】
また、上記紙製品１１における上記マトリックス方式２次元コード１５に、キャラクターやブランドの関連情報を提供するサイトのＵＲＬが格納されることにより、そのサイトにアクセスすることにより、例えば、キャラクターやブランドの愛好者が新製品の情報を迅速に入手することができる。
【００９５】
また、上記紙製品１１における上記マトリックス方式２次元コード１５に、テキストデータ、音声データ、画像データが格納されることにより、携帯電話を使用して多様なデータを多量に入手することができる。
【産業上の利用可能性】
【００９６】
本発明は印刷可能な紙製品に広く適用可能である。
【図面の簡単な説明】
【００９７】
【図１】本発明に係る紙製品の一実施例であって、一般的なメモ帳の表紙に２次元コードを配置した場合を示す斜視図である。
【図２】本発明に係る紙製品の一実施例であって、第二実施例に係る手帳の付録冊子のページに２次元コードを配置した場合の斜視図である。
【図３】本発明に係る紙製品の一実施例であって、第三実施例に係る手帳の斜視図である。
【図４】本発明に係る紙製品の一実施例であって、第四実施例に係るシステム手帳の斜視図である。
【図５】本発明に係る紙製品の一実施例であって、第五実施例に係るレターセットの斜視図である。
【図６】本発明に係る紙製品の一実施例であって、第六実施例に係る名刺の斜視図である。
【図７】本発明に係る紙製品の一実施例であって、第七実施例に係るカタログの斜視図である。
【図８】本発明に係る紙製品の一実施例であって、第八実施例に係るチラシの斜視図である。
【図９】本発明に係る紙製品の一実施例であって、第九実施例に係るグリーティングカードの斜視図である。
【図１０】本発明に係る紙製品の一実施例であって、第十実施例に係るポチ袋の斜視図である。
【図１１】本発明に係る紙製品の一実施例であって、第十一実施例に係るタグの斜視図である。
【図１２】本発明に係る紙製品の一実施例であって、第十二実施例に係る手帳の斜視図である。
【符号の説明】
【００９８】
１１  紙製品
１２  メモ帳
１３  表紙
１４  ２次元コード
１５  マトリックス方式２次元コード
１６  手帳の付録冊子
１７  手帳
１８  アンケートハガキ
１９  システム手帳
２０  リフィール
２１  レターセット
２２  封筒
２３  パッケージ
２４  名刺
２５  カタログ
２６  チラシ
２７  地図
２８  グリーティングカード
２９  ポチ袋
３０  タグ
３１  ペンケース
３２  手帳
３３  キャラクターの画像
４０  セル
４１  シンボル
【図１】
2006155355.tif 000003
【図２】
2006155355.tif 000004
【図３】
2006155355.tif 000005
【図４】
2006155355.tif 000006
【図５】
2006155355.tif 000007
【図６】
2006155355.tif 000008
【図７】
2006155355.tif 000009
【図８】
2006155355.tif 000010
【図９】
2006155355.tif 000011
【図１０】
2006155355.tif 000012
【図１１】
2006155355.tif 000013
【図１２】
2006155355.tif 000014